(57)【要約】【課題】多大な手間を要していたＣＴの交換作業を大幅に簡素化できる新規なタンク形真空遮断器の提供。【解決手段】環状の変成器４０が取り付けられるタンク１０のＣＴ取付部１１にフランジ５１を介して碍管５０を取り付けた真空遮断器１００であって、前記碍管５０のフランジ５１の外径を前記変成器４０の内径よりも小さく形成すると共に前記フランジ５１の外周面に環状のカバー取付金具６０を着脱自在に取り付け、当該カバー取付金具６０に前記ＣＴ取付部１１の変成器４０を覆うＣＴカバー４１を着脱自在に取り付ける。これによって、碍管５０を取り外さなくとも変成器４０の交換ができるため、従来多大な手間を要していた変成器４０の交換作業を大幅に簡素化できる【選択図】  図２
2013085414.tif 000002
【特許請求の範囲】
【請求項１】
環状の変成器が取り付けられるタンクのＣＴ取付部に、フランジを介して碍管を取り付けた真空遮断器であって、
前記碍管のフランジ外径を前記変成器の内径よりも小さく形成すると共に前記フランジの外周面に環状のカバー取付金具を着脱自在に取り付け、当該カバー取付金具に前記ＣＴ取付部のＣＴを覆うＣＴカバーを着脱自在に取り付けたことを特徴とするタンク形真空遮断器。
【請求項２】
前記環状のカバー取付金具は、その周方向に２つ以上に分割可能であることを特徴とする請求項１に記載のタンク形真空遮断器。
【請求項３】
前記フランジの外周面と前記環状のカバー取付金具の内周面との間にシール部材を設けたことを特徴とする請求項１または２に記載のタンク形真空遮断器。
【請求項４】
前記カバー取付金具を金具用ボルトで前記フランジの外周面に固定すると共に、前記ＣＴカバーを当該カバー取付金具の上面にカバー用ボルトで固定し、当該カバー取付金具のボルト固定部の径方向幅を前記ＣＴカバーのボルト固定部の径方向幅よりも狭くしたことを特徴とする請求項１乃至３のいずれかに記載のタンク形真空遮断器。
【発明の詳細な説明】
【技術分野】
【０００１】
本発明は、変電所の屋外などに設置されるタンク形真空遮断器に係り、特に計器用変成器（以下、適宜「ＣＴ」と称す）の取付け構造に関するものである。
【背景技術】
【０００２】
従来、変電所の配電盤などで使用されている真空遮断器（ＶＣＢ）としては、例えば以下の特許文献１に示すような構造をしたタンク形真空遮断器がある。この種のタンク形真空遮断器は、図６に示すように、絶縁性を確保するための高圧の乾燥空気が封入された接地タンク１０内に、遮断部である真空インタラプラ２０を収容し、この真空インタラプラ２０の両端にパイプ状の導体３０、３０を接続した構造となっている。
【０００３】
そして、この導体３０、３０が通過する接地タンク１０のＣＴ取付部１１，１１に、それぞれ環状の計器用変成器であるＣＴ（Current Transformer）４０を上下多段（図の例では３段）に取り付けると共に、そのＣＴ取付部１１，１１の端面に碍管５０、５０をそれぞれ取り付けることでこの導体３０，３０を絶縁しつつその全体を覆う構造となっている。
【先行技術文献】
【特許文献】
【０００４】
【特許文献１】特開２００７−３０６７０１号公報
【発明の概要】
【発明が解決しようとする課題】
【０００５】
ところで、前記のような従来のタンク形真空遮断器にあっては、ＣＴ４０が故障した場合や老朽化した場合には、これを新たなものに交換する必要があるが、その作業時には碍管５０を一旦タンク１０のＣＴ取付部１１から取り外さなければならないため、その交換作業は容易でない。
【０００６】
すなわち、ＣＴ４０を交換するためには、先ずＣＴ４０を風雨や飛来物から保護しているＣＴカバー４１を碍管５０のフランジから取り外してから、この碍管５０をタンク１０のＣＴ取付部１１から取り外した後、古いＣＴ４０をＣＴ取付部１１から取り外す。その後、このＣＴ取付部１１に新しいＣＴ４０を取り付けてから再度碍管５０をＣＴ取付部１１の端面に取り付けた後、ＣＴカバー４１を碍管５０に組み付けることになる。
【０００７】
この際、碍管５０をＣＴ取付部１１から取り外すとタンク１０内が大気開放される状態となるため、予めタンク１０内に充填された高圧の乾燥空気を放出しておき、ＣＴ交換後に再充填することになるが、その前に碍管５０のシール面などからのガス漏れが無いことを確認するためにリーク試験を行う必要がある。リーク試験には、通常Ｈｅ（ヘリウム）ガスを使用し、タンク１０内を真空引きしてからＨｅガスを封入して漏れが無いか確認することによって行う。この際、漏れがあればその部分を再度分解し、検査を行ったり、シールを新たなものに交換するなどの作業が行われる。そして、このリーク試験に合格したならば、タンク１０内のＨｅガスを放出し、再度真空引きを行ってからそのタンク１０内に新たな高圧の乾燥空気を封入することでＣＴの交換作業が終了する。
【０００８】
このように従来のＣＴの交換作業は、（１）高圧の乾燥空気の放出、（２）古いＣＴ４０の取外し作業、（３）新しいＣＴ４０の取付け作業、（４）リーク試験、（５）Ｈｅガスの放出、（６）高圧の乾燥空気の封入、といった多くの手間を要している。
【０００９】
そこで、本発明はこれらの課題を解決するために案出されたものであり、その目的は、多大な手間を要するＣＴの交換作業を大幅に簡素化できる新規なタンク形真空遮断器を提供するものである。
【課題を解決するための手段】
【００１０】
前記課題を解決するために第１の発明は、環状の変成器が取り付けられるタンクのＣＴ取付部に、フランジを介して碍管を取り付けた真空遮断器であって、前記碍管のフランジ外径を前記変成器の内径よりも小さく形成すると共に前記フランジの外周面に環状のカバー取付金具を着脱自在に取り付け、当該カバー取付金具に前記ＣＴ取付部のＣＴを覆うＣＴカバーを着脱自在に取り付けたことを特徴とするタンク形真空遮断器である。
【００１１】
このような構成によれば、ＣＴの交換に際して碍管をＣＴ取付部から取り外す必要がなくなるため、多大な手間を要していたＣＴの交換作業を大幅に簡素化できる。具体的には、前記の（１）乃至（６）の工程のうち、（２）古いＣＴ４０の取外し作業と（３）新しいＣＴ４０の取付け作業のみで終了し、（１）高圧の乾燥空気の放出や（４）リーク試験、（５）Ｈｅガスの放出、（６）高圧の乾燥空気の封入などの作業を省略できる。
【００１２】
第２の発明は、第１の発明において、前記環状のカバー取付金具は、その周方向に２つ以上に分割可能であることを特徴とするタンク形真空遮断器である。このような構成によれば、環状のカバー取付金具の着脱作業を容易に行える。
【００１３】
第３の発明は、第１または第２の発明において、前記フランジの外周面と前記環状のカバー取付金具の内周面との間にシール部材を設けたことを特徴とするタンク形真空遮断器である。このような構成によれば、カバー取付金具の取り付け部の水密性が向上するため、その部分からＣＴへの雨漏りなどを確実に防止できる。
【００１４】
第４の発明は、第１乃至第３の発明において、前記カバー取付金具を金具用ボルトで前記フランジの外周面に固定すると共に、前記ＣＴカバーを当該カバー取付金具の上面にカバー用ボルトで固定し、当該カバー取付金具のボルト固定部の径方向幅を前記ＣＴカバーのボルト固定部の径方向幅よりも狭くしたことを特徴とするタンク形真空遮断器である。
【００１５】
このような構成によれば、ＣＴカバーをカバー用ボルトによってカバー取付金具の上面に確実に取り付けることができると共に、金具用ボルトが貫通する部分の肉厚を薄くできるため、カバー取付金具全体を小型・軽量化できる。
【発明の効果】
【００１６】
本発明のタンク形真空遮断器によれば、ＣＴの交換に際して碍管をＣＴ取付部から取り外す必要がなくなるため、多大な手間を要していたＣＴの交換作業を大幅に簡素化できる。これによって、作業時間の大幅な削減によるコストダウンが可能となると共に、碍管をＣＴ取付部のシール部を開放しないことによる、交換作業の信頼性が向上する。
【図面の簡単な説明】
【００１７】
【図１】本発明に係るタンク形真空遮断器１００の実施の一形態を示す断面図である。
【図２】図１中Ａ部を示す部分拡大図である。
【図３】図１中Ｂ−Ｂ線矢視図である。
【図４】カバー取付金具６０の変形例を示す平面図である。
【図５】従来のＣＴ取付部１１の構造を示す部分拡大図である。
【図６】従来のタンク形真空遮断器を示す全体図である。
【発明を実施するための形態】
【００１８】
次に、本発明の実施の一形態を添付図面を参照しながら説明する。図１は、本発明に係るタンク形真空遮断器１００のＣＴ取付部１１，１１を示したものである。図示するようにこのＣＴ取付部１１，１１は、タンク１０の上部からそれぞれＶ字状に突出するように延びる筒状に形成されている。なお、これら一対のＣＴ取付部１１，１１は、入力用の導体（図示せず）を対象とするか、出力用の導体（図示せず）を対象とするか以外は基本的に同じ構造となっているため、以下では出力用の導体（図示せず）が配置される一方のＣＴ取付部１１（図中左側）について詳述する。
【００１９】
このＣＴ取付部１１の外周には、環状のＣＴ４０が上下多段（図の例では２段）に設けられており、そのＣＴ取付部１１内の軸心部に位置する図示しない導体の電流値などを計測して出力するようになっている。なお、ＣＴ取付部１１の外周下部（タンク１０側）には、これより径方向外方に延びる鍔部１２が形成されており、ＣＴ４０がこの鍔部１２上に載置されるようにして上下多段に配置されている。
【００２０】
このＣＴ取付部１１の端面（上端部）には、磁器や樹脂などの高絶縁性材料からなる碍管５０がフランジ５１を介してこれより上方に延長するように取り付けられている。このフランジ５１は、その外径がＣＴ取付部１１の端面の外径と略同じか、これよりやや小さく形成されており、図２に示すように複数の締結ボルト５２，５２…によってＣＴ取付部１１の端面に取り付けられている。
【００２１】
また、このＣＴ取付部１１の内径は、その端面側が縮径しており、碍管５０の内径と略一致してそれらの内面が連続するようになっている。そして、この碍管５０の端面とＣＴ取付部１１の縮径した端面内周側には、シール溝５３とこのシール溝５３に嵌るシール部材（Ｏリング）５４が設けられており、このシール部材５４によってその部分の気密性を確保している。
【００２２】
このフランジ５１の外周面には、環状のカバー取付金具６０が水密性のシール部材６１を介して着脱自在に取り付けられている。このカバー取付金具６０は、図３に示すように周方向に２つに分割可能な半割り部材６０ａ、６０ａとなっており、複数の金具用ボルト６２，６２…（図の例では６個）によってフランジ５１の外周面に固定されている。
【００２３】
また、図２に示すようにこのカバー取付金具６０には、ＣＴ取付部１１のＣＴ４０，４０全体をその上方から側面に亘って覆い隠すようにＣＴカバー４１が着脱自在に取り付けられている。このＣＴカバー４１は、バケツを逆さにし、その中央を円形にくりぬいたような形状をしており、その円形のくりぬき穴の縁部に相当する部分を環状のカバー取付金具６０の上面に重ね合わせ、その上方から複数のカバー用ボルト４２，４２…（本実施の形態では６個）によって固定されている。なお、図１に示すように、このＣＴカバー４１の下端は、ＣＴ取付部１１の外周下部の鍔部１２から延びる弾性部材１３と密着しており、ＣＴカバー４１と鍔部１２との間からの風雨や埃などの侵入を防止している。
【００２４】
そして、このような構成をした本発明のＣＴ取付部１１にあっては、ＣＴを交換する際には、先ず、このＣＴカバー４１を取り外してＣＴ４０，４０を露出させた状態にする。ＣＴカバー４１は、カバー用ボルト４２，４２…を取り外した後、そのまま碍管５０に沿ってその上端まで持ち上げることで容易に取り外すことができる。
【００２５】
ＣＴカバー４１を取り外したならば、次に金具用ボルト６２，６２…を取り外してフランジ５１からカバー取付金具６０を取り外す。このカバー取付金具６０は前述したように分割可能（２つ割り）となっているため、その取り外し作業は極めて容易である。
【００２６】
このようにしてカバー取付金具６０を取り外したならば、ＣＴ４０の上方にはこれと干渉する部材はなくなるため、これをそのまま碍管５０に沿ってその上端まで持ち上げることでＣＴ４０を簡単に取り外すことができる。すなわち、碍管５０のフランジ５１の外径は、ＣＴ取付部１１の外径とほぼ同じであって少なくともＣＴ４０の内径よりも小さくなっているため、取り外す際にこのフランジ５１が邪魔になることはない。なお、この作業に際しては、碍管５０の上端の端子に接続されている電線などは予め取り外しておくことは勿論である。また、ＣＴ４０を取り外す際にもそのＣＴ４０に接続されているケーブル類も同様に予め取り外しておく。
【００２７】
そして、このようにして古いＣＴ４０を取り外したならば、これとは逆の作業を行うことで新たなＣＴ４０をＣＴ取付部１１に簡単に取り付けることができる。なお、このカバー取付金具６０とフランジ５１間にシール部材６１を設けることによって、この隙間からの水の浸入を確実に防止することが可能となるが、このシール部材６１は、このＣＴ交換作業に際してそのまま利用しても良いし、新たなものに交換しても良い。
【００２８】
このような構成によれば、ＣＴ４０の交換に際して碍管５０をＣＴ取付部１１から取り外す必要がなくなるため、従来、多大な手間を要していたＣＴ４０の交換作業を大幅に簡素化できる。具体的には、古いＣＴ４０の取外し作業と新しいＣＴ４０の取付け作業のみで終了するため、従来の交換作業ごとに必要となっていた、高圧の乾燥空気の放出やリーク試験、Ｈｅガスの放出、高圧の乾燥空気の封入などの作業を全て省略することが可能となる。これによって、作業時間の大幅削減によるコストダウンが可能となると共に、碍管５０とＣＴ取付部１１とのシール部を開放しないことによる、交換作業の信頼性が向上する。
【００２９】
一方、図５は、従来のＣＴ取付部１１を示したものであり、ＣＴカバー４１を直接取り付けるために碍管５０のフランジ５１ａの外径がＣＴ４０の内径よりも大幅に大きくなっている。このため、ＣＴ４０の交換作業時には、必ず碍管５０も同時に取り外さなければならず、前述したような多大な手間を要することになる。
【００３０】
なお、本実施の形態では、カバー取付金具６０を円環状の形成した例で説明したが、図４に示すように、その外周面を六角形（多角形）に削り取り、その径方向の幅の狭い部分（薄肉部分）を金具用ボルト６２，６２…でフランジ５１側に固定し、その径方向の幅の広い部分（肉厚部分）の上面にカバー用ボルト４２，４２…でＣＴカバー４１を取り付けるようにしても良い。このようにすれば、ＣＴカバー４１をカバー用ボルト４２，４２…によってカバー取付金具６０の上面に確実に取り付けることができると共に、金具用ボルト６２，６２…が貫通する部分の肉厚を薄くできるため、カバー取付金具６０全体を小型・軽量化することが可能となる。
【符号の説明】
【００３１】
１００…タンク形真空遮断器
１０…タンク
１１…ＣＴ取付部
４０…ＣＴ（変成器）
４１…ＣＴカバー
４２…カバー用ボルト
５０…碍管
５１…フランジ
６０…カバー取付金具
６１…シール部材
６２…金具用ボルト
【図１】
2013085414.tif 000003
【図２】
2013085414.tif 000004
【図３】
2013085414.tif 000005
【図４】
2013085414.tif 000006
【図５】
2013085414.tif 000007
【図６】
2013085414.tif 000008